(57)【特許請求の範囲】
【請求項１】
透過型砂防堰堤であって、
所定以上の大きさの礫等を捕捉することができる捕捉構造体と、
前記捕捉構造体の下流に配置された床版コンクリートと、
前記床版コンクリート上であって前記捕捉構造体を囲うように形成された堰状体と、
前記床版コンクリート上であって少なくとも前記捕捉構造体と前記堰状体との間に形成された砂礫層とを備えた、透過型砂防堰堤。
【請求項２】
前記堰状体は、前記砂礫層の上面より大きな高さの連続した壁状体で構成され、
前記壁状体には、前記砂礫層の前記上面のレベルより上方側の部分に透過部が形成される、請求項１記載の透過型砂防堰堤。
【請求項３】
前記壁状体は、コンクリートブロックと、前記コンクリートブロックの少なくとも前記砂礫層側の外面及び上面に設置された弾性部材とを含む、請求項２記載の透過型砂防堰堤。
【請求項４】
透過型砂防堰堤であって、
所定以上の大きさの礫等を捕捉することができる捕捉構造体と、
前記捕捉構造体の下流に配置された床版コンクリートと、
前記床版コンクリート上であって前記捕捉構造体を囲うように形成され、土砂を透過させることができる透過部を少なくとも一部に有する堰状体とを備えた、透過型砂防堰堤。
【請求項５】
前記堰状体は複数の壁状体で構成され、隣接する前記壁状体の各々は所定間隔をおいて配置される、請求項４記載の透過型砂防堰堤。
【請求項６】
前記壁状体は、コンクリートブロックと、前記コンクリートブロックの外面に設置された弾性部材とを含み、
前記弾性部材は、弾性体と、前記弾性体に埋設された鋼板とからなる、請求項５記載の透過型砂防堰堤。
【請求項７】
前記堰状体は、前記床版コンクリートから垂直上方に延びる複数の柱状体で構成され、隣接する前記柱状体の各々は所定間隔をおいて配置される、請求項４記載の透過型砂防堰堤。
【請求項８】
前記柱状体は、内部にコンクリートが詰められた鋼管と、前記鋼管の外方面を覆うように形成された弾性体とからなる、請求項７記載の透過型砂防堰堤。
【請求項９】
前記堰状体は、連続した壁状体で構成され、
前記壁状体には、水平方向に延びる少なくとも１つの貫通穴が形成される、請求項４記載の透過型砂防堰堤。
【発明の詳細な説明】
【技術分野】
【０００１】
この発明は透過型砂防堰堤に関し、特に、所定以上の大きさの礫等を捕捉するための捕捉構造体を有する透過型砂防堰堤に関するものである。
【背景技術】
【０００２】
土石流等の土砂災害防止を目的とする砂防堰堤においては、例えば、所定以上の大きさの礫等を捕捉することが出来る捕捉構造体を有する透過型砂防堰堤がある。このような透過型砂防堰堤について説明する。
【０００３】
図１５は従来の透過型砂防堰堤を下流側から見た概略正面図であり、図１６は図１５で示したＸＶＩ−ＸＶＩラインの断面図である。
【０００４】
これらの図を参照して、砂防堰堤７０は、開口部７５が形成されたコンクリートよりなる本体７１と、本体７１の下部から下流（図１６の右側）に掛けて設置された床版コンクリート１０と、開口部７５の床版コンクリート１０上に設置された、捕捉構造体である鋼製支柱１２とから構成されている。尚、下流側に形成された床版コンクリート１０は、水通天端面である鋼製支柱１２を設置するための基礎工である。
【０００５】
鋼製支柱１２は、その基礎部が床版コンクリート１０に埋設された円形鋼管よりなる複数の縦材１３と、開口部７５の幅方向（図１５の左右方向）及び流下方向（図１６の左右方向）に水平に配置された円形鋼管よりなる複数の横材１４とから構成されている。又、縦材１３及び横材１４の各々の端部にはフランジが形成されており、各々のフランジ同士をボルト等で固定することによって、鋼製支柱１２全体が格子状となるように連結されている。
【０００６】
このように構成された砂防堰堤７０は、格子状の鋼製支柱１２によって、洪水時において所定以上の大きさの礫等を捕捉することで大量の土砂礫の下流側への流出を防止する。従って、土石流等の土砂災害を防止することが出来る。更に、開口部７５を介して砂防堰堤７０の上流側と下流側とが連続状態となるため、魚道の確保等、自然環境の保全に効果的となる。
【発明の概要】
【発明が解決しようとする課題】
【０００７】
上記のような従来の砂防堰堤では、洪水時において土石流が発生した場合に問題が生じる。
【０００８】
図１７は図１５で示した砂防堰堤において土石流が発生した状態を示す概略断面図である。
【０００９】
図を参照して、砂防堰堤７０の設置箇所において土石流が発生すると、鋼製支柱１２が上流（図の左側）から流出してきた大量の礫７７ａによって目詰まりする。従って、鋼製支柱１２よりより下流側への礫７７ａの流出が防止される。しかしながら、捕捉された礫７７ａが鋼製支柱１２の上端部まで達した場合、図の矢印及び二点鎖線で示すように、鋼製支柱１２を超えて礫７７ｂが下流側へと流出し、床版コンクリート１０上に落下する。従って、礫７７ｂの落下による衝撃で床版コンクリート１０が摩耗及び損傷する虞があった。
【００１０】
そこで、上述した礫７７ｂの床版コンクリート１０への落下による衝撃力に対する補強のため、床版コンクリート１０の表面を耐摩耗性及び耐衝撃性に優れた高強度コンクリートで構成する高強度コンクリート工法がある。しかしながら、砂防堰堤７０を新設する場合には問題無いが、砂防堰堤７０が既設である場合に次のような問題が生じる。以下に図を用いて説明する。
【００１１】
図１８は図１６で示した砂防堰堤の床版コンクリートの表面を高強度コンクリートとしたものを示す概略断面図である。
【００１２】
図を参照して、この砂防堰堤７２においては、床版コンクリート１０の表面部分に高強度コンクリート８１が設置されている。このように構成された砂防堰堤７２においては、上述した土石流発生時において、鋼製支柱１２を超えて流出する礫は高強度コンクリート８１上に落下するため、床版コンクリート１０の耐久性が向上する。
【００１３】
しかしながら、既設の砂防堰堤において、このように高強度コンクリート８１を設置する際には、床版コンクリート１０を高強度コンクリート８１の必要厚さに相当する深さまで掘削する必要がある。従って、大規模な改良工事が必要となり、高コストとなってしまう。
【００１４】
一方、床版コンクリート１０への礫の落下による衝撃を緩和する他の方法として、床版コンクリート１０の表面部分に水槽を形成するウォータークッション工法がある。以下に図を用いて説明する。
【００１５】
図１９は図１６で示した砂防堰堤の床版コンクリートの一部を水槽としたものを示す概略断面図である。
【００１６】
図を参照して、この砂防堰堤７３においては、床版コンクリート１０の下流側部分に水槽８３が形成されている。このように構成された砂防堰堤７３においては、上述した土石流発生時において、鋼製支柱１２を超えて流出する礫は水槽８３に落下するため、水の抵抗によって床版コンクリート１０への衝撃が緩和される。
【００１７】
しかしながら、既設の砂防堰堤においては、このような水槽８３は床版コンクリート１０を掘削して形成しているため、水槽８３の底部７９のコンクリート厚さが薄くなってしまう。従って、底部７９の強度が低いため、水槽８３による緩衝効果を考慮しても、礫の落下による衝撃で底部７９が損傷又は貫通してしまう虞がある。
【００１８】
そこで、床版コンクリート１０を掘削しないために、鋼製支柱１２の下流側に堰を設けて水を溜め、水槽を形成する方法がある。以下に図を用いて説明する。
【００１９】
図２０は図１６で示した砂防堰堤の床版コンクリート上に水槽を設置したものを示す概略断面図である。
【００２０】
図を参照して、この砂防堰堤７４においては、床版コンクリート１０の下流側に堰８５を設置し、床版コンクリート１０上の堰８５から上流側の部分に水槽８６を形成している。このように構成された砂防堰堤７４においては、図１６で示した砂防堰堤と同様に、礫の落下による床版コンクリート１０への衝撃は、水槽８６の水の抵抗によって緩和される。更に、水槽８６の施工において床版コンクリート１０を掘削する必要がないため、床版コンクリート１０の強度が維持された状態となっている。
【００２１】
しかしながら、このように水槽８６を設置すると、水槽８６が鋼製支柱１２を超えて上流側まで形成されることになる。従って、土石流発生時においては、本来なら土石流の先頭に位置すべき巨大な礫７７ａが水槽８６の水の抵抗によって鋼製支柱１２の上流側手前で止まってしまう。即ち、鋼製支柱１２が礫７７ａによって目詰まりしないことになる。すると、本来ならば上述した目詰まりによって捕捉される、礫７７ａの後方側に位置していた中小程度の大きさの礫７７ｂが、図の矢印及び二点鎖線で示すように礫７７ａを超えて鋼製支柱１２の下流側へと流出してしまう。従って、砂防堰堤７４の本来の目的である土石流の流出防止効果を阻害する虞がある。更に、堰８５を設けて水槽８６を形成すると、砂防堰堤７０を介しての河川の連続性が失われてしまうため、魚道の確保等が困難となる。
【００２２】
この発明は、上記のような課題を解決するためになされたもので、土石流発生時における礫の落下による衝撃から床版コンクリートが保護される透過型砂防堰堤を提供することを目的とする。
【課題を解決するための手段】
【００２３】
上記の目的を達成するために、請求項１記載の発明は、透過型砂防堰堤であって、所定以上の大きさの礫等を捕捉することができる捕捉構造体と、捕捉構造体の下流に配置された床版コンクリートと、床版コンクリート上であって捕捉構造体を囲うように形成された堰状体と、床版コンクリート上であって少なくとも捕捉構造体と堰状体との間に形成された砂礫層とを備えたものである。
【００２４】
このように構成すると、床版コンクリート上に前もって砂礫層が形成される。
【００２５】
請求項２記載の発明は、請求項１記載の発明の構成において、堰状体は、砂礫層の上面より大きな高さの連続した壁状体で構成され、壁状体には、砂礫層の上面のレベルより上方側の部分に透過部が形成されるものである。
【００２６】
このように構成すると、透過部を介して河川の連続性が確保される。
【００２７】
請求項３記載の発明は、請求項２記載の発明の構成において、壁状体は、コンクリートブロックと、コンクリートブロックの少なくとも砂礫層側の外面及び上面に設置された弾性部材とを含むものである。
【００２８】
このように構成すると、壁状体が安定すると共に、その砂礫層側の外面及び上面が弾性部材によって覆われる。
【００２９】
請求項４記載の発明は、透過型砂防堰堤であって、所定以上の大きさの礫等を捕捉することができる捕捉構造体と、捕捉構造体の下流に配置された床版コンクリートと、床版コンクリート上であって捕捉構造体を囲うように形成され、土砂を透過させることができる透過部を少なくとも一部に有する堰状体とを備えたものである。
【００３０】
このように構成すると、土石流が生じた時、透過部が閉塞されて堰状体内に砂礫の層が主に形成される。
【００３１】
請求項５記載の発明は、請求項４記載の発明の構成において、堰状体は複数の壁状体で構成され、隣接する壁状体の各々は所定間隔をおいて配置されるものである。
【００３２】
このように構成すると、透過部を介して河川の連続性が確保される。
【００３３】
請求項６記載の発明は、請求項５記載の発明の構成において、壁状体は、コンクリートブロックと、コンクリートブロックの外面に設置された弾性部材とを含み、弾性部材は、弾性体と、弾性体に埋設された鋼板とからなるものである。
【００３４】
このように構成すると、壁状体が安定すると共に、その外面が弾性体によって覆われる。
【００３５】
請求項７記載の発明は、請求項４記載の発明の構成において、堰状体は、床版コンクリートから垂直上方に延びる複数の柱状体で構成され、隣接する柱状体の各々は所定間隔をおいて配置されるものである。
【００３６】
このように構成すると、柱状体同士の間隔が透過部を構成する。
【００３７】
請求項８記載の発明は、請求項７記載の発明の構成において、柱状体は、内部にコンクリートが詰められた鋼管と、鋼管の外方面を覆うように形成された弾性体とからなるものである。
【００３８】
このように構成すると、柱状体の高さの調整が容易になると共に、その外面が弾性体によって覆われる。
【００３９】
請求項９記載の発明は、請求項４記載の発明の構成において、堰状体は、連続した壁状体で構成され、壁状体には、水平方向に延びる少なくとも１つの貫通穴が形成されるものである。
【００４０】
このように構成すると、壁状体の強度が向上する。
【発明の効果】
【００４１】
以上説明したように、請求項１記載の発明は、床版コンクリート上に前もって砂礫層が形成されるため、土石流発生からの時間経過を問わず、砂礫層が礫の落下を緩衝し、床版コンクリートを保護する。
【００４２】
請求項２記載の発明は、請求項１記載の発明の効果に加えて、透過部を介して河川の連続性が確保されるため、水生生物に対して優しい構造となる。
【００４３】
請求項３記載の発明は、請求項２記載の発明の効果に加えて、壁状体が安定するため、施工品質が向上する。又、その砂礫層側の外面及び上面が弾性部材によって覆われるため、耐摩耗性が向上する。
【００４４】
請求項４記載の発明は、土石流が生じた時、透過部が閉塞されて堰状体内に砂の層が主に形成されるため、砂の層が礫の落下を緩衝し、床版コンクリートを保護する。
【００４５】
請求項５記載の発明は、請求項４記載の発明の効果に加えて、透過部を介して河川の連続性が確保されるため、水生生物に対して優しい構造となる。
【００４６】
請求項６記載の発明は、請求項５記載の発明の効果に加えて、壁状体が安定するため、施工品質が向上する。又、その外面が弾性体によって覆われるため、耐摩耗性が向上する。
【００４７】
請求項７記載の発明は、請求項４記載の発明の効果に加えて、柱状体同士の間隔が透過部を構成するため、透過部の大きさの調整が容易となる。
【００４８】
請求項８記載の発明は、請求項７記載の発明の効果に加えて、柱状体の高さの調整が容易になるため、施工が容易となる。又、柱状体の外面が弾性体によって覆われるため、耐摩耗性が向上する。
【００４９】
請求項９記載の発明は、請求項４記載の発明の効果に加えて、壁状体の強度が向上するため、安定した堰状効果を奏する。
【図面の簡単な説明】
【００５０】
【図１】この発明の第１の実施の形態による透過型砂防堰堤を下流側から見た概略正面図である。
【図２】図１で示したＩＩ−ＩＩラインの断面図である。
【図３】図１で示したＩＩＩ―ＩＩＩラインから見た図である。
【図４】図２で示したＸ部分の拡大図である。
【図５】図１で示した透過型砂防堰堤において土石流が発生した状態を示す概略断面図である。
【図６】図５で示した透過型砂防堰堤における砂礫層の形成過程について示した概略図である。
【図７】この発明の第２の実施の形態による透過型砂防堰堤を下流側から見た概略正面図である。
【図８】図７で示したＶＩＩＩ−ＶＩＩＩラインから見た図である。
【図９】この発明の第３の実施の形態による透過型砂防堰堤を下流側から見た概略正面図である。
【図１０】図９で示したＸ−Ｘラインから見た図である。
【図１１】図９で示したＹ部分の一部破断状態の拡大図である。
【図１２】この発明の第４の実施の形態による透過型砂防堰堤を下流側から見た一部破断の概略正面図である。
【図１３】図１２で示したＸＩＩＩ−ＸＩＩＩラインの断面図である。
【図１４】図１２で示したＸＩＶ−ＸＩＶラインから見た図である。
【図１５】従来の透過型砂防堰堤を下流側から見た概略正面図である。
【図１６】図１５で示したＸＶＩ−ＸＶＩラインの断面図である。
【図１７】図１５で示した砂防堰堤において土石流が発生した状態を示す概略断面図である。
【図１８】図１６で示した砂防堰堤の床版コンクリートの表面を高強度コンクリートとしたものを示す概略断面図である。
【図１９】図１６で示した砂防堰堤の床版コンクリートの一部を水槽としたものを示す概略断面図である。
【図２０】図１６で示した砂防堰堤の床版コンクリート上に水槽を設置したものを示す概略断面図である。
【発明を実施するための形態】
【００５１】
図１はこの発明の第１の実施の形態による透過型砂防堰堤を下流側から見た概略正面図であり、図２は図１で示したＩＩ−ＩＩラインの断面図であり、図３は図１で示したＩＩＩ―ＩＩＩラインから見た図である。
【００５２】
これらの図を参照して、砂防堰堤５を構成する本体７１、捕捉構造体である鋼製支柱１２及び床版コンクリート１０は、従来例の図１５で示した砂防堰堤７０と同様である。
【００５３】
そして、この実施の形態による砂防堰堤５においては、鋼製支柱１２の下方部を囲うように形成されると共に、床版コンクリート１０の下流側に設置された、堰状体である壁状体２０ａ〜２０ｃを備えている。壁状体２０ａは、平面視コの字状に形成されていると共に、壁状体２０ｂ、２０ｃは、壁状体２０ａの両端部の各々を囲うように平面視Ｌ字状に形成されている。更に、壁状体２０ａ〜２０ｃの各々は所定間隔をおいて配置されている。従って、壁状体２０ａと壁状体２０ｂ、２０ｃの各々との間には透過部２５ａ、２５ｂが形成される。尚、壁状体２０ａ〜２０ｃの高さは１００ｃｍとなるように形成されているが、これらの高さは９０ｃｍ以上となるようにすることが好ましい。このような壁状体２０ａ〜２０ｃを有する砂防堰堤５の効果については後述する。
【００５４】
このように、壁状体２０ａ〜２０ｃには透過部２５ａ、２５ｂが形成されているため、透過部２５ａ、２５ｂを介して河川の連続性が確保される。従って、砂防堰堤５を介しての魚類等の上下流側への移動が可能となるため、水生生物に対して優しい構造となる。
【００５５】
次に、壁状体２０ａ〜２０ｃの詳細な構造について説明する。
【００５６】
図４は図２で示したＸ部分の拡大図である。
【００５７】
図を参照して、壁状体２０ａは、床版コンクリート１０に固定された断面状態が台形状のコンクリートブロック２１と、コンクリートブロック２１の外面に複数のボルト２７で取り付けられた弾性部材２２とから構成されている。尚、図１で示した壁状体２０ｂ、２０ｃについても同一構造である。
【００５８】
弾性部材２２は、天然ゴム（ＮＲ）及びスチレンブタジエンゴム（ＳＢＲ）の合成ゴムよりなる弾性体２３と、弾性体２３に埋設された鋼板２４とから構成されている。鋼板２４の厚さは、壁状体２０ａに作用する設計外力に応じた強度以上となるように設定されている。
【００５９】
このように、鋼板２４の全面が弾性体２３に覆われているため、鋼板２４が外面に露出することが無い。従って、鋼板２４に対する防塵効果及び錆び止め効果が向上する。そのため、鋼板２４の厚さは摩耗しろ及び錆びしろを考慮した厚さにする必要が無いので、コスト的に有利となる。
【００６０】
又、弾性部材２２の外面に弾性体２３が配置されるため、礫等の衝突による鋼板２４及びコンクリートブロック２１への衝撃が弾性体２３によって緩和される。尚、この外面に位置する弾性体２３は、その厚さを種々に変更することで、壁状体２０ａの施工箇所の条件に対応した耐衝撃性を付加することが出来る。
【００６１】
又、このような壁状体２０ａは床版コンクリート１０上に設置されるので、砂防堰堤５の新設又は既設を問わず、容易に設置することが出来る。
【００６２】
次に、図１で示した砂防堰堤５の効果について説明する。
【００６３】
図５は図１で示した透過型砂防堰堤において土石流が発生した状態を示す概略断面図であって、図２に相当するものである。
【００６４】
図を参照して、砂防堰堤５の設置箇所において土石流が発生すると、従来例の図１４で示した砂防堰堤７０と同様に、鋼製支柱１２が礫７７ａによって目詰まりする。その後、捕捉された礫７７ａが鋼製支柱１２の上端部まで達すると、礫７７ｂが鋼製支柱１２を超えて下流側へと落下する。又は、礫７７ｃが鋼製支柱１２を超える前に鋼製支柱１２の上方部の間から下方へ落下する。
【００６５】
しかしながら、この実施の形態による砂防堰堤５にあっては、土石流発生後、即ち、上述した礫７７ｂ、７７ｃの落下時においては、壁状体２０ａ内の床版コンクリート１０の表面に主に砂よりなる砂礫層１６が自動的に形成されている。従って、礫７７ｂ、７７ｃの落下による床版コンクリート１０への衝撃は砂礫層１６によって緩和される。即ち、床版コンクリート１０が砂礫層１６によって保護される。尚、砂礫層１６の厚さは、壁状体２０ａの高さと略同一に形成されている。
【００６６】
次に、上述した砂礫層１６が形成される過程について説明する。
【００６７】
図６は図５で示した透過型砂防堰堤における砂礫層の形成過程について示した概略図であって、（１）は平常時を示すものであり、（２）は土石流発生直後の状態を示すものであり、（３）は土石流発生から所定時間経過した後の状態を示すものである。
【００６８】
まず（１）を参照して、平常時の砂防堰堤５にあっては、壁状体２０内の床版コンクリート１０の表面は外方に露出した状態となっている。又、平常時においては、鋼製支柱１２を通過する土砂は図１で示した透過部２５ａ、２５ｂを通過して下流へと流出する。従って、不用意に壁状体２０内に砂礫が溜まる虞が無くなり、河川の連続性が安定して確保される。
【００６９】
次に（２）を参照して、土石流発生直後の砂防堰堤５にあっては、鋼製支柱１２の上流側の下方部が複数の礫７７ａによって目詰まりしている。この時、礫７７ａの間又は鋼製支柱１２の目詰まりしていない部分から、砂礫１７が鋼製支柱１２を通過して下流側に流出する。すると、まず流出した砂礫１７によって図１で示した透過部２５ａ、２５ｂが塞がれる。その後、上流側から更に流出してくる砂礫１７が壁状体２０によって捕捉され、壁状体２０から砂礫１７が上流側に向かって溜まっていく。
【００７０】
次に（３）を参照して、土石流発生から所定時間経過した後の砂防堰堤５にあっては、（２）で示した砂礫が溜まり続けることによって、壁状体２０内の床版コンクリート１０上に砂礫層１６が形成される。
【００７１】
砂礫層１６はこのように形成されるため、従来例で示した高強度コンクリートや水槽等を設置する必要が無い。又、砂礫層１６の厚さが壁状体２０の高さによって決定されるため、壁状体２０の高さを種々変更することによって、砂防堰堤５の設置箇所に対応した砂礫層１６を形成することが出来る。
【００７２】
図７はこの発明の第２の実施の形態による透過型砂防堰堤を下流側から見た概略正面図であり、図８は図７で示したＶＩＩＩ−ＶＩＩＩラインから見た図である。
【００７３】
尚、説明に当たっては、基本的には第１の実施の形態によるものと同一であるため、その相違点を中心に説明する。
【００７４】
これらの図を参照して、この実施の形態にあっては、堰状体の形状が大きく異なっている。即ち、砂防堰堤６においては、鋼製支柱１２の下方部を囲うように形成されると共に、床版コンクリート１０の下流側に設置された壁状体３０ａ〜３０ｃを備えている。壁状体３０ａ、３０ｃは、平面視においてＬ字状に形成されており、各々が鋼製支柱１２の下流側の両側面及び前面の一部を囲むように配置されている。又、壁状体３０ｂは、鋼製支柱１２の下流側の前面を覆うように配置されている。そして、壁状体３０ａ〜３０ｃの各々は所定間隔をおいて配置されている。従って、壁状体３０ｂと壁状体３０ａ、３０ｃの各々との間には透過部３５ａ、３５ｂが形成される。
【００７５】
このように、透過部３５ａ、３５ｂが鋼製支柱１２の下流側の前面に位置することによって、これらが河川の流下方向に対応するため、平常時における砂礫の通過が容易となる。従って、平常時における河川の連続性が更に安定して確保される。
【００７６】
又、壁状体３０ａ〜３０ｃは、図４で示した壁状体２０ａと同一構造となっている。従って、壁状体３０ａ〜３０ｃにおいては、第１の実施の形態による壁状体と同様の効果を発揮する。
【００７７】
そして、このように構成された砂防堰堤６は、第１の実施の形態による砂防堰堤と同様に、土石流発生時において、鋼製支柱１２を通過した礫によって透過部３５ａ、３５ｂが塞がれた後、上流から流出する砂礫が溜まることで砂礫層が形成される。従って、第１の実施の形態による砂防堰堤と同様の効果を発揮する。
【００７８】
図９はこの発明の第３の実施の形態による透過型砂防堰堤を下流側から見た概略正面図であり、図１０は図９で示したＸ−Ｘラインから見た図である。
【００７９】
尚、説明に当たっては、基本的には第１の実施の形態によるものと同一であるため、その相違点を中心に説明する。
【００８０】
これらの図を参照して、この実施の形態にあっては、堰状体の形状が大きく異なっている。即ち、砂防堰堤７においては、鋼製支柱１２の下方部の下流側を囲うように床版コンクリート１０上に設置された複数の柱状体４０を備えている。柱状体４０の詳細な構造については後述する。
【００８１】
又、柱状体４０の各々は所定間隔をおいて配置されている。そのため、柱状体４０の各々の間には透過部４５が形成される。このように、柱状体４０同士の間隔が透過部４５を構成するため、透過部４５の大きさの調整が容易となる。尚、透過部４５が効率良く土石流発生時の砂礫を捕捉出来るように、柱状体４０間に水平部材を掛け渡すように構成しても良い。
【００８２】
そして、このように構成された砂防堰堤７は、第１の実施の形態による砂防堰堤と同様に、土石流発生時において、鋼製支柱１２を通過した礫によって透過部４５の各々が塞がれた後、上流から流出する砂礫が溜まることで砂礫層が形成される。従って、第１の実施の形態による砂防堰堤と同様の効果を発揮する。
【００８３】
次に、柱状体４０の詳細な構造について説明する。
【００８４】
図１１は図９で示したＹ部分の一部破断状態の拡大図である。
【００８５】
図を参照して、柱状体４０は円柱形状を有し、その下方部が床版コンクリート１０に埋設され、床版コンクリート１０から垂直上方に延びるように設置されている。
【００８６】
又、柱状体４０は、その内部にコンクリート４８が充填された鋼管４１と、鋼管４１の外方面を覆うように配置された、天然ゴム（ＮＲ）及びスチレンブタジエンゴム（ＳＢＲ）の合成ゴムよりなる弾性体４２とから構成されている。更に、柱状体４０の中央部には、外方側に水平方向に延びるフランジ４４が接続されており、フランジ４４はアンカーボルト４６によって床版コンクリート１０に固定されている。そのため、上述した床版コンクリート１０への埋設による効果と併せて、柱状体４０の設置状態が更に安定する。
【００８７】
このような柱状体４０は、鋼管４１の長さを変更することによって高さの調整が容易に出来るため、施工が容易となる。又、柱状体４０の外面が弾性体によって覆われるため、柱状体４０の耐摩耗性が向上する。
【００８８】
図１２はこの発明の第４の実施の形態による透過型砂防堰堤を下流側から見た一部破断の概略正面図であり、図１３は図１２で示したＸＩＩＩ−ＸＩＩＩラインの断面図であり、図１４は図１２で示したＸＩＶ−ＸＩＶラインから見た図である。
【００８９】
尚、説明に当たっては、基本的には第１の実施の形態によるものと同一であるため、その相違点を中心に説明する。
【００９０】
これらの図を参照して、この実施の形態にあっては、堰状体の形状及び砂礫層１６が予め形成されている点が大きく異なっている。即ち、砂防堰堤８においては、鋼製支柱１２の下方部を囲うように形成されると共に、床版コンクリート１０の下流側に設置された壁状体５０を備えている。壁状体５０は、平面視においてコの字状に形成されており、鋼製支柱１２の下流側の両側面及び前面を囲むように連続した形状となっている。又、壁状体５０の高さは後述する砂礫層１６の高さより大きくなるように形成されていると共に、砂礫層１６より上方側の部分の前面には透過部５５が形成されている。
【００９１】
壁状体５０は、床版コンクリート１０に固定された断面状態が台形形状のコンクリートブロック５１と、コンクリートブロック５１の砂礫層１６側の外面及び上面に取り付けられた弾性部材５２とから構成されている。弾性部材５２の構造は、第１の実施の形態によるものと同一である。従って、壁状体５０は図４で示した壁状体２０ａと略同一構造となる。そのため、壁状体５０においては、その砂礫層１６と反対側の外面が弾性部材５２で保護されていない点を除いては、第１の実施の形態による壁状体と同様の効果を発揮する。
【００９２】
更に、砂防堰堤８においては、先の実施の形態では土石流の発生によって形成されていた砂礫層１６が、床版コンクリート１０上の鋼製支柱１２と壁状体５０との間及び鋼製支柱１２の周囲に予め形成されている。従って、図１３で示すように、土石流発生当初、即ち先の実施の形態における砂礫層が形成される前に、礫７７が鋼製支柱１２を超えて下流側へと落下した場合であっても、砂防堰堤８には予め砂礫層１６が形成されている。更に、礫７７が鋼製支柱１２を超える前に鋼製支柱１２の上方部の間から下方へ落下した場合であっても、鋼製支柱１２の周囲には砂礫層１６が形成されている。従って、土石流発生からの時間経過を問わず、礫７７の落下による床版コンクリート１０への衝撃は砂礫層１６によって緩和される。
【００９３】
尚、上述した通り、予め形成される砂礫層１６の高さは壁状体５０の高さより低くなるように形成されている。具体的には、砂礫層１６の高さは透過部５５の下面の高さと略同一になるように形成されている。更に、壁状体５０の透過部５５の下面から前方側の床版コンクリート１０上を架け渡すように、側面視において三角形状の連結コンクリート５６が設置されている。従って、連結コンクリート５６及び壁状体５０の透過部５５を介して河川の連続性が確保される。そのため、水生生物に対して優しい構造になると共に、予め形成された砂礫層１６が不用意に下流側へと流出する虞が無い。
【００９４】
尚、上記の各実施の形態では、捕捉構造体は特定形状の鋼製支柱で構成されているが、所定以上の大きさの礫等を捕捉することが出来るものであれば、鋼製支柱に限らず、他のもので構成されていても良い。
【００９５】
又、上記の各実施の形態では、弾性体は天然ゴム（ＮＲ）及びスチレンブタジエンゴム（ＳＢＲ）よりなる合成ゴムで形成されているが、合成ゴムは、例えばクロロプレンゴム（ＣＲ）やエチレンプロピレンゴム（ＥＰＴ）等が含有されているものであっても良い。
【００９６】
更に、上記の各実施の形態では、堰状体等は基本的には既設の透過型砂防堰堤に対して適用されているが、新設の透過型砂防堰堤に対しても同様に適用できることは言うまでもない。
【００９７】
更に、上記の第１〜第３の実施の形態では、特定構造及び特定形状の堰状体を備えているが、床版コンクリート上に設置され、鋼製支柱を囲うように形成されると共に、土砂を通過させることが出来る透過部を有していれば、堰状体は他の構造及び形状であっても良い。
【００９８】
更に、上記の第１、第２及び第４の実施の形態では、壁状体はコンクリートブロックと弾性部材とによって構成されているが、例えばコンクリートブロックのみ等、他の部材で構成されていても良い。又、弾性部材は、少なくとも形成される砂礫層側のコンクリートブロックの外面に取り付けられていれば良い。
【００９９】
更に、上記の第１及び第２の実施の形態では、堰状体は複数の壁状体によって特定形状に形成されているが、複数の壁状体によって鋼製支柱の下流側を囲うように形成すると共に、隣接する壁状体の各々が所定間隔をおいて配置されていれば、他の形状に形成されていても良い。又、壁状体は少なくとも２つ以上あれば良い。
【０１００】
更に、上記の第１及び第２の実施の形態では、堰状体は複数の壁状体で構成されているが、堰状体は連続した壁状体で構成されていても良く、その場合、壁状体には透過部として水平方向に延びる少なくとも１つの貫通穴が形成されていれば良い。このように構成すると、壁状体の強度が向上するため、安定した堰状効果を奏する。
【０１０１】
更に、上記の第１及び第２の実施の形態では、壁状体の間に透過部が形成されているが、透過部に対して水平部材を掛け渡すように構成しても良い。このように構成すると、水平部材によって効率良く土石流発生時の砂礫を捕捉することが出来る。
【０１０２】
更に、上記の第３の実施の形態では、特定構造及び特定形状の柱状体を備えているが、床版コンクリートから垂直上方に延びるように形成されていれば、柱状体は他の構造及び形状であっても良い。
【０１０３】
更に、上記の第４の実施の形態では、砂礫層は床版コンクリート上の鋼製支柱と壁状体との間及び鋼製支柱の周囲に形成されているが、砂礫層は少なくとも床版コンクリート上の鋼製支柱と壁状体との間に形成されていれば良い。
【０１０４】
更に、上記の第４の実施の形態では、特定構造及び特定形状の堰状体を備えているが、床版コンクリート上に設置され、鋼製支柱を囲うように形成されていれば、堰状体は他の構造及び形状であっても良い。
【０１０５】
更に、上記の第４の実施の形態では、河川の連続性を確保するための透過部及び連結コンクリートを備えているが、透過部又は連結コンクリートは無くても良い。その場合、壁状体と砂礫層との高さは同一であっても良い。
【符号の説明】
【０１０６】
５〜８…砂防堰堤
１０…床版コンクリート
１２…鋼製支柱
１６…砂礫層
２０、３０、５０…壁状体
２１、５１…コンクリートブロック
２２、５２…弾性部材
２３、４２…弾性体
２４…鋼板
２５、３５、４５、５５…透過部
４０…柱状体
４１…鋼管
４８…コンクリート
７７…礫
尚、各図中同一符号は同一又は相当部分を示す。
【図１】
0005469558.tif 000002
【図２】
0005469558.tif 000003
【図３】
0005469558.tif 000004
【図４】
0005469558.tif 000005
【図５】
0005469558.tif 000006
【図６】
0005469558.tif 000007
【図７】
0005469558.tif 000008
【図８】
0005469558.tif 000009
【図９】
0005469558.tif 000010
【図１０】
0005469558.tif 000011
【図１１】
0005469558.tif 000012
【図１２】
0005469558.tif 000013
【図１３】
0005469558.tif 000014
【図１４】
0005469558.tif 000015
【図１５】
0005469558.tif 000016
【図１６】
0005469558.tif 000017
【図１７】
0005469558.tif 000018
【図１８】
0005469558.tif 000019
【図１９】
0005469558.tif 000020
【図２０】
0005469558.tif 000021